(57)【要約】【課題】サーマルヘッドの電源容量を低減できる製版装置を提供する。【解決手段】制御部７は、少なくともいずれかの主走査ラインにおいて製版時の必要電力が電源２４の電源容量を超えるグループがある場合、画像データの各主走査ラインに対して１ライン分の無製版ラインを、各ブロックに対応する領域ごとに、同一グループ内の各ブロックに対応する領域間では元の画像データの主走査ラインの副走査方向における位置が相互にずれるように配置して付加する。そして、制御部７は、製版時において、製版部３の移動速度を、標準速度の１／２とするよう移動機構部４を制御する。【選択図】図３
2019055499.tif 000002
【特許請求の範囲】
【請求項１】
主走査方向に沿って配置された複数の発熱素子を有するサーマルヘッドと、
前記サーマルヘッドに電力を供給する電源と、
前記サーマルヘッドとマスタとを副走査方向に相対移動させる移動機構部と、
前記移動機構部により前記サーマルヘッドとマスタとを副走査方向に相対移動させつつ、画像データに基づき、前記サーマルヘッドが主走査方向に分割されたブロックをそれぞれＮ（Ｎは２以上の自然数）個含む複数のグループごとに時分割で前記発熱素子を駆動させてマスタを製版するよう制御する制御部とを備え、
前記制御部は、
画像データの各主走査ラインの製版時におけるグループごとの必要電力を算出し、少なくともいずれかの主走査ラインにおいて製版時の必要電力が前記電源の電源容量を超える前記グループがある場合、
画像データの各主走査ラインに対して、穿孔を行う画素がない（Ｎ−１）ライン分の無製版ラインを、前記各ブロックに対応する領域ごとに、同一グループ内の前記各ブロックに対応する領域間における元の画像データの主走査ラインの副走査方向における位置をそれぞれずらすように配置して付加し、
製版時において、前記サーマルヘッドとマスタとの相対移動速度を、画像データに前記無製版ラインを付加せずに製版を行う場合の設定速度の１／Ｎとするよう前記移動機構部を制御することを特徴とする製版装置。
【発明の詳細な説明】
【技術分野】
【０００１】
本発明は、マスタを製版する製版装置に関する。
【背景技術】
【０００２】
サーマルヘッドにより孔版印刷のためのマスタの製版を行う製版装置が知られている。サーマルヘッドは、主走査方向に沿って配列された複数の発熱素子を有し、発熱素子によりマスタに穿孔して製版する。
【０００３】
このような製版装置は、サーマルヘッドに電力を供給するための電源を有する（例えば、特許文献１参照）。電源からの電力により発熱素子が駆動されることで、マスタに穿孔が行われる。
【先行技術文献】
【特許文献】
【０００４】
【特許文献１】特開２０１３−１６９７３７号公報
【発明の概要】
【発明が解決しようとする課題】
【０００５】
サーマルヘッドの発熱素子は、画像データに基づき選択的に駆動される。同時に駆動される発熱素子が多いほど、必要な電力が多くなる。したがって、サーマルヘッドのすべての発熱素子が同時に駆動される場合に、必要な電力が最大になる。
【０００６】
製版装置は、この最大の電力を供給可能な電源容量を有する電源を搭載している。このため、電源が大型化し、製版装置の大型化を招く。特に、Ａ２幅のような幅広の版を製版可能な長尺のサーマルヘッドを有する製版装置の場合、要求される電源容量が大きくなり、電源が大型化する。
【０００７】
本発明は上記に鑑みてなされたもので、サーマルヘッドの電源容量を低減できる製版装置を提供することを目的とする。
【課題を解決するための手段】
【０００８】
上記目的を達成するため、本発明の製版装置は、主走査方向に沿って配置された複数の発熱素子を有するサーマルヘッドと、前記サーマルヘッドに電力を供給する電源と、前記サーマルヘッドとマスタとを副走査方向に相対移動させる移動機構部と、前記移動機構部により前記サーマルヘッドとマスタとを副走査方向に相対移動させつつ、画像データに基づき、前記サーマルヘッドが主走査方向に分割されたブロックをそれぞれＮ（Ｎは２以上の自然数）個含む複数のグループごとに時分割で前記発熱素子を駆動させてマスタを製版するよう制御する制御部とを備え、前記制御部は、画像データの各主走査ラインの製版時におけるグループごとの必要電力を算出し、少なくともいずれかの主走査ラインにおいて製版時の必要電力が前記電源の電源容量を超える前記グループがある場合、画像データの各主走査ラインに対して、穿孔を行う画素がない（Ｎ−１）ライン分の無製版ラインを、前記各ブロックに対応する領域ごとに、同一グループ内の前記各ブロックに対応する領域間における元の画像データの主走査ラインの副走査方向における位置をそれぞれずらすように配置して付加し、製版時において、前記サーマルヘッドとマスタとの相対移動速度を、画像データに前記無製版ラインを付加せずに製版を行う場合の設定速度の１／Ｎとするよう前記移動機構部を制御することを特徴とする。
【発明の効果】
【０００９】
本発明によれば、サーマルヘッドの電源容量を低減できる。
【図面の簡単な説明】
【００１０】
【図１】実施の形態に係る製版装置の全体斜視図である。
【図２】図１に示す製版装置のサーマルヘッドの概略構成図である。
【図３】図１に示す製版装置の制御ブロック図である。
【図４】図１に示す製版装置のサーマルヘッドの回路図である。
【図５】図１に示す製版装置の動作を説明するためのフローチャートである。
【図６】標準モードでの製版動作におけるサーマルヘッドの駆動制御のタイミングチャートである。
【図７】画像データに付加される無製版ラインを説明するための図である。
【図８】電力抑制モードでの製版動作におけるサーマルヘッドの駆動制御のタイミングチャートである。
【発明を実施するための形態】
【００１１】
以下、本発明の実施の形態について、図面を参照して説明する。各図面を通じて同一もしくは同等の部位や構成要素には、同一もしくは同等の符号を付している。
【００１２】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１３】
図１は、本発明の実施の形態に係る製版装置の全体斜視図である。図２は、図１に示す製版装置のサーマルヘッドの概略構成図である。図３は、図１に示す製版装置の制御ブロック図である。図４は、図１に示す製版装置のサーマルヘッドの回路図である。なお、以下の説明において、図１の矢印で示す上下左右前後を上下左右前後方向とする。
【００１４】
図１に示すように、第１実施形態に係る製版装置１は、筐体２と、製版部３と、移動機構部４と、移動式位置決め部材５と、ガイドシャフト６Ａ，６Ｂと、制御部７とを備える。
【００１５】
筐体２は、製版装置１の各部を収納する。筐体２は、上側が開口した箱状に形成されている。
【００１６】
製版部３は、枠張りマスタ１１を製版する。枠張りマスタ１１は、矩形の枠体１２にマスタ１３を張設したものである。枠張りマスタ１１は、筐体２に設けられた支持部（図示せず）に前端部が支持され、移動式位置決め部材５に後端部が支持されるように製版装置１にセットされる。枠張りマスタ１１のマスタ１３は、シルク、合成樹脂、ステンレス等からなる縦糸と横糸とが編み上げられて形成されたメッシュ状の紗に、熱可塑性樹脂からなる熱溶融性フィルムが接着剤により接着されて形成されている。
【００１７】
製版部３は、図１、図３に示すように、プラテンローラ２１と、プラテンカバー２２と、サーマルヘッド２３と、電源２４と、ヘッドベース２５とを備える。
【００１８】
プラテンローラ２１は、サーマルヘッド２３に枠張りマスタ１１のマスタ１３を上側から押圧する。プラテンローラ２１は、左右方向に細長い円柱形状に形成されている。プラテンローラ２１は、図示しないバネによりサーマルヘッド２３側に押圧付勢されている。
【００１９】
プラテンカバー２２は、プラテンローラ２１を覆うとともに、プラテンローラ２１を回転可能に保持する。プラテンカバー２２は、後述するスライダ４１Ａ，４１Ｂに、回動軸２２ａを中心として回動可能に取り付けられている。
【００２０】
サーマルヘッド２３は、枠張りマスタ１１のマスタ１３に穿孔して製版する。サーマルヘッド２３は、製版装置１にセットされた枠張りマスタ１１のマスタ１３の下側に配置されている。サーマルヘッド２３は、左右方向に細長い形状を有する。
【００２１】
サーマルヘッド２３は、図２に示すように、発熱抵抗体３１と、複数のドライバＩＣ３２と、電極３３Ａ，３３Ｂとを備える。
【００２２】
発熱抵抗体３１は、主走査方向（左右方向）に沿って所定間隔で配列された複数の発熱素子３６を有する。発熱抵抗体３１は、サーマルヘッド２３の左端部から右端部にわたって延びるように形成されている。
【００２３】
発熱素子３６は、電圧がかけられることにより発熱してマスタ１３に穿孔する。各発熱素子３６は、所定の抵抗値を有するように形成されている。
【００２４】
複数のドライバＩＣ３２は、後述する駆動回路４２を構成し、製版用の画像データに基づき、複数の発熱素子３６を選択的に駆動させる。ここで、製版用の画像データは、画素ごとの穿孔の有無を示すデータである。具体的には、製版用の画像データは、各画素についての黒データまたは白データを有するデータである。黒データは、発熱素子３６を発熱させてマスタ１３に穿孔することを示すデータである。白データは、発熱素子３６を発熱させず、マスタ１３に穿孔しないことを示すデータである。
【００２５】
電極３３Ａ，３３Ｂは、電源２４からの電圧を各発熱素子３６に供給するための電極である。電極３３Ａは電源電圧が供給される電源電極であり、電極３３Ｂは接地電極である。
【００２６】
ここで、サーマルヘッド２３の回路構成について、図４を参照して説明する。
【００２７】
サーマルヘッド２３は、各発熱素子３６を時分割で駆動するために、主走査方向に複数のブロックに分割されている。本実施の形態では、サーマルヘッド２３は、８つのブロック２６Ａ〜２６Ｈに分割されている。ブロック２６Ａ〜２６Ｈには、それぞれ複数の発熱素子３６が含まれる。各発熱素子３６には、電源２４による電圧Ｖｈが印加されている。なお、ブロック２６Ａ〜２６Ｈ等の符号におけるアルファベットの添え字を省略して総括的に表記することがある。
【００２８】
ブロック２６Ａ〜２６Ｈは、時分割での駆動において同時に駆動される２つのブロック２６からなる４つのグループに分けられる。具体的には、ブロック２６Ａ〜２６Ｈは、ブロック２６Ａ，２６Ｅからなるグループ２７Ａ、ブロック２６Ｂ，２６Ｆからなるグループ２７Ｂ、ブロック２６Ｃ，２６Ｇからなるグループ２７Ｃ、ブロック２６Ｄ，２６Ｈからなるグループ２７Ｄに分けられる。
【００２９】
また、図４に示すように、サーマルヘッド２３には、駆動回路４２が設けられている。駆動回路４２は、シフトレジスタ４６Ａ〜４６Ｈと、ラッチ回路４７Ａ〜４７Ｈと、複数のＮＡＮＤ回路４８と、インバータ４９Ａ〜４９Ｈとを備える。駆動回路４２の各部は、複数のドライバＩＣ３２に分割されて内蔵されている。
【００３０】
シフトレジスタ４６Ａ〜４６Ｈは、制御部７からのクロック信号ＣＬＫ１〜ＣＬＫ８に同期して、制御部７からシリアルに入力される画像データＤＡＴ１〜ＤＡＴ８をパラレル化してラッチ回路４７Ａ〜４７Ｈに出力する。
【００３１】
ここで、クロック信号ＣＬＫ１〜ＣＬＫ８は、それぞれシフトレジスタ４６Ａ〜４６Ｈが画像データＤＡＴ１〜ＤＡＴ８を各発熱素子３６に対応するようにパラレル化してラッチ回路４７Ａ〜４７Ｈに出力するために使用されるパルス信号である。
【００３２】
また、画像データＤＡＴ１〜ＤＡＴ８は、それぞれブロック２６Ａ〜２６Ｈに対応する領域の画像データである。画像データＤＡＴ１〜ＤＡＴ８は、それぞれシフトレジスタ４６Ａ〜４６Ｈに、１ライン（主走査ライン）分ずつシリアルに入力される。
【００３３】
ラッチ回路４７Ａ〜４７Ｈは、制御部７からのラッチ信号ＬＡＴ１〜ＬＡＴ８が入力されると、パラレル化された画像データＤＡＴ１〜ＤＡＴ８をラッチしてＮＡＮＤ回路４８の一方の入力端子に出力する。ここで、ラッチ信号ＬＡＴ１〜ＬＡＴ８は、それぞれ画像データＤＡＴ１〜ＤＡＴ８をラッチ回路４７Ａ〜４７Ｈにラッチさせる信号である。
【００３４】
ＮＡＮＤ回路４８は、一方の入力端子に入力されるラッチ回路４７Ａ〜４７Ｈからの画像データＤＡＴ１〜ＤＡＴ８、および他方の入力端子に入力される制御部７からのストローブ信号ＳＴＢ１〜ＳＴＢ８に基づき、発熱素子３６を発熱させる。各ＮＡＮＤ回路４８は、それぞれ各発熱素子３６に対応して設けられている。
【００３５】
インバータ４９Ａ〜４９Ｈは、それぞれ制御部７からのストローブ信号ＳＴＢ１〜ＳＴＢ８を反転させる。
【００３６】
ここで、ストローブ信号ＳＴＢ１〜ＳＴＢ８は、それぞれブロック２６Ａ〜２６Ｈの発熱素子３６の発熱期間を制御する信号である。制御部７が出力するストローブ信号ＳＴＢ１〜ＳＴＢ８がオン（Ｌｏｗ）の場合、インバータ４９Ａ〜４９Ｈを介することにより、各ＮＡＮＤ回路４８の他方の入力端子への入力がオン（Ｈｉｇｈ）となる。
【００３７】
この時、ラッチ信号ＬＡＴ１〜ＬＡＴ８によってラッチ回路４７Ａ〜４７Ｈに黒データ（Ｈｉｇｈ）が保持されている場合、各ＮＡＮＤ回路４８の出力がオン（Ｌｏｗ）となり、発熱素子３６に電源２４から電流が供給され、発熱素子３６が発熱する。一方、ラッチ回路４７Ａ〜４７Ｈに白データ（Ｌｏｗ）が保持されている場合、各ＮＡＮＤ回路４８の出力がオフ（Ｈｉｇｈ）となり、発熱素子３６には電流が供給されず、発熱素子３６は発熱しない。
【００３８】
ストローブ信号ＳＴＢ１〜ＳＴＢ８がオフ（Ｈｉｇｈ）の場合、インバータ４９Ａ〜４９Ｈを介することにより、各ＮＡＮＤ回路４８の一方の入力端子への入力がオフ（Ｌｏｗ）となり、各ＮＡＮＤ回路４８の出力がオフ（Ｈｉｇｈ）となる。このため、各発熱素子３６は発熱しない。
【００３９】
ここまでがサーマルヘッド２３の回路構成についての説明である。
【００４０】
電源２４は、サーマルヘッド２３に発熱素子３６を駆動させるための電圧を供給する。
【００４１】
ヘッドベース２５は、サーマルヘッド２３を支持する。ヘッドベース２５は、左右方向に細長い板状に形成されている。ヘッドベース２５は、後述するスライダ５１Ａ，５１Ｂに固定されている。
【００４２】
移動機構部４は、製版部３を前後方向（副走査方向）に移動させる。移動機構部４は、スライダ５１Ａ，５１Ｂと、移動モータ５２とを備える。
【００４３】
スライダ５１Ａ，５１Ｂは、製版部３を前後方向に移動させるために、ガイドシャフト６Ａ，６Ｂに沿って前後方向に移動するものである。スライダ５１Ａ，５１Ｂは、左右方向に互いに離間して配置されている。スライダ５１Ａ，５１Ｂは、移動モータ５２の駆動力により前後方向に移動可能に構成されている。スライダ５１Ａ，５１Ｂには、プラテンカバー２２が接続されるとともに、ヘッドベース２５が接続されている。これにより、スライダ５１Ａ，５１Ｂとともに製版部３が前後方向に移動するようになっている。
【００４４】
移動モータ５２は、スライダ５１Ａ，５１Ｂを移動させるための駆動力を発生する。
【００４５】
移動式位置決め部材５は、枠張りマスタ１１の後端部における枠体１２を支持する。移動式位置決め部材５は、ガイドシャフト６Ａ，６Ｂに沿って前後方向に移動可能になっている。移動式位置決め部材５は、枠体搭載部５６と、スライダ５７Ａ，５７Ｂとを備える。
【００４６】
枠体搭載部５６は、枠体１２の後端部を支持する部分である。枠体搭載部５６は、左右方向に細長い形状に形成されている。
【００４７】
スライダ５７Ａ，５７Ｂは、枠体搭載部５６を支持するとともに、ガイドシャフト６Ａ，６Ｂに沿って前後方向に移動する部分である。スライダ５７Ａ，５７Ｂは、それぞれ枠体搭載部５６の左端部、右端部に接続されている。
【００４８】
ガイドシャフト６Ａ，６Ｂは、スライダ５１Ａ，５１Ｂおよび移動式位置決め部材５の前後方向の移動をガイドする。ガイドシャフト６Ａ，６Ｂは、前後方向に延びる長尺状に形成され、筐体２内において互いに左右方向に離間して設置されている。
【００４９】
制御部７は、製版装置１の各部の動作を制御する。制御部７は、ＣＰＵ、ＲＡＭ、ＲＯＭ、ハードディスク等を備えて構成される。
【００５０】
制御部７は、移動機構部４により製版部３を副走査方向に移動させつつ、画像データに基づき、グループ２７ごとに時分割でサーマルヘッド２３の発熱素子３６を駆動させて枠張りマスタ１１を製版するよう制御する。
【００５１】
制御部７は、製版を行う際、画像データの各主走査ラインの製版時におけるグループ２７ごとの必要電力を算出する。そして、少なくともいずれかの主走査ラインにおいて製版時の必要電力が電源２４の電源容量を超えるグループ２７がない場合、制御部７は、製版時の動作モードとして標準モードを選択する。標準モードは、標準速度で製版部３を移動させつつ、画像データに基づきサーマルヘッド２３を駆動させて製版を行うモードである。ここで、標準速度は、後述の電力抑制モードで行われる画像データへの無製版ラインの付加を行わずに製版を行う場合における製版部３の移動速度（相対移動速度）の設定速度である。
【００５２】
少なくともいずれかの主走査ラインにおいて製版時の必要電力が電源２４の電源容量を超えるグループ２７がある場合、制御部７は、製版時の動作モードとして電力抑制モードを選択する。電力抑制モードは、画像データの各主走査ラインに対して後述のように無製版ラインを付加し、標準速度の１／２の速度で製版部３を移動させつつ、無製版ラインが付加された画像データに基づきサーマルヘッド２３を駆動させて製版を行うモードである。ここで、無製版ラインは、穿孔を行う画素がない、すなわち全画素が白データである主走査方向のラインである。
【００５３】
次に、製版装置１の動作について説明する。
【００５４】
図５は、製版装置１の動作を説明するためのフローチャートである。図５のステップＳ１において、制御部７は、画像データの各主走査ラインの製版時におけるグループ２７ごとの必要電力を算出する。各主走査ラインの製版時におけるグループ２７ごとの必要電力は、各主走査ラインについて、各グループ２７に対応する領域ごとに、黒データの画素数と１画素の穿孔に必要な電力とを乗算することにより算出される。ここで、１画素の穿孔に必要な電力は、予め設定されている。
【００５５】
次いで、ステップＳ２において、制御部７は、少なくともいずれかの主走査ラインにおいて製版時の必要電力が電源２４の電源容量を超えるグループ２７があるか否かを判断する。
【００５６】
少なくともいずれかの主走査ラインにおいて製版時の必要電力が電源２４の電源容量を超えるグループ２７があると判断した場合（ステップＳ２：ＹＥＳ）、ステップＳ３において、制御部７は、電力抑制モードでの製版動作を実行する。電力抑制モードでの製版動作については後述する。
【００５７】
少なくともいずれかの主走査ラインにおいて製版時の必要電力が電源２４の電源容量を超えるグループ２７がないと判断した場合（ステップＳ２：ＮＯ）、ステップＳ４において、制御部７は、標準モードでの製版動作を実行する。標準モードでの製版動作については後述する。
【００５８】
ステップＳ３における電力抑制モードでの製版動作、またはステップＳ４における標準モードでの製版動作が終了すると、一連の動作が終了となる。
【００５９】
次に、標準モードでの製版動作について説明する。
【００６０】
図６は、標準モードでの製版動作におけるサーマルヘッド２３の駆動制御のタイミングチャートである。図６におけるｎライン目の主走査ラインに着目して、標準モードでのサーマルヘッド２３の駆動制御を説明する。
【００６１】
サーマルヘッド２３の駆動制御時において、制御部７は、クロック信号ＣＬＫ１〜ＣＬＫ８をシフトレジスタ４６Ａ〜４６Ｈに出力している。
【００６２】
ｎライン目の製版の際、まず、制御部７は、グループ２７Ａの駆動のため、ｎライン目の画像データＤＡＴ１，ＤＡＴ５をシフトレジスタ４６Ａ，４６Ｅに出力する。ここで、画像データＤＡＴ１，ＤＡＴ５は、それぞれグループ２７Ａのブロック２６Ａ，２６Ｅに対応する領域の画像データである。
【００６３】
シフトレジスタ４６Ａ，４６Ｅは、それぞれ画像データＤＡＴ１，ＤＡＴ５をパラレル化してラッチ回路４７Ａ，４７Ｅに出力する。
【００６４】
画像データＤＡＴ１，ＤＡＴ５の出力後、制御部７は、ラッチ信号ＬＡＴ１，ＬＡＴ５をそれぞれラッチ回路４７Ａ，４７Ｅに出力する。これにより、ラッチ回路４７Ａ，４７Ｅがラレル化された画像データＤＡＴ１，ＤＡＴ５をラッチする。
【００６５】
この後、制御部７は、ストローブ信号ＳＴＢ１，ＳＴＢ５をオンして、画像データＤＡＴ１，ＤＡＴ５の黒データに対応する発熱素子３６を発熱させる。これにより、画像データＤＡＴ１，ＤＡＴ５の黒データの画素に対応する穿孔が行われる。ストローブ信号ＳＴＢ１，ＳＴＢ５をオンしてから所定時間経過後、制御部７は、ストローブ信号ＳＴＢ１，ＳＴＢ５をオフし、発熱素子３６の発熱を終了させる。これにより、ｎライン目に対するグループ２７Ａの駆動が終了する。
【００６６】
制御部７は、画像データＤＡＴ１，ＤＡＴ５の出力後、グループ２７Ｂ〜２７Ｄの駆動のため、所定のタイミングで順次、画像データＤＡＴ２，ＤＡＴ６をシフトレジスタ４６Ｂ，４６Ｆにそれぞれ出力し、画像データＤＡＴ３，ＤＡＴ７をシフトレジスタ４６Ｃ，４６Ｇにそれぞれ出力し、画像データＤＡＴ４，ＤＡＴ８をシフトレジスタ４６Ｄ，４６Ｈにそれぞれ出力する。グループ２７Ｂ〜２７Ｄの駆動は、上述したグループ２７Ａの駆動と同様に行われる。
【００６７】
これにより、図６に示すように、ストローブ信号ＳＴＢ１〜ＳＴＢ８が、グループ２７ごとに、タイミングをずらしてオンになる。このようにして、グループ２７ごとの発熱素子３６の時分割駆動が行われる。
【００６８】
なお、図６では、画像データＤＡＴ２〜ＤＡＴ４，ＤＡＴ６〜ＤＡＴ８、クロック信号ＣＬＫ２〜ＣＬＫ４，ＣＬＫ６〜ＣＬＫ８、ラッチ信号ＬＡＴ２〜ＬＡＴ４，ＬＡＴ６〜ＬＡＴ８は図示を省略している。
【００６９】
標準モードでは、制御部７は、移動機構部４により標準速度で製版部３を移動させつつ、製版対象の画像データの各主走査ラインについて、上述のようなサーマルヘッド２３の駆動制御を行う。
【００７０】
次に、電力抑制モードでの製版動作について説明する。
【００７１】
電力抑制モードでの製版動作を行う場合、制御部７は、画像データの各主走査ラインに対して無製版ラインを１ライン分ずつ付加する。この際、制御部７は、各ブロック２６に対応する領域ごとに、同一グループ２７内の各ブロック２６に対応する領域間における元の画像データの主走査ラインの副走査方向における位置が相互にずれるように無製版ラインを配置する。
【００７２】
具体的には、例えば、図７に示すように、制御部７は、グループ２７Ａのブロック２６Ａに対応する領域では、元の画像データにおける主走査ラインであるラインＬ１〜Ｌ３に対し、図７における下側に、それぞれ無製版ラインＬｎ１〜Ｌｎ３を付加する。一方、グループ２７Ａのブロック２６Ｅに対応する領域では、制御部７は、ラインＬ１〜Ｌ３に対し、ラインＬ１〜Ｌ３を図７における下側に１ライン分ずらし、それぞれ無製版ラインＬｎ４〜Ｌｎ６を元のラインＬ１〜Ｌ３の位置に配置する。
【００７３】
すなわち、制御部７は、ブロック２６Ａに対応する領域とブロック２６Ｅに対応する領域との間で、元の画像データのラインＬ１〜Ｌ３が副走査方向に互いにずれて配置された千鳥配置となるような位置に、無製版ラインＬｎ１〜Ｌｎ６を付加する。
【００７４】
ここで、図７において、黒のマス目は黒データの画素を示し、白のマス目は白データの画素を示す。
【００７５】
電力抑制モードでの製版時には、制御部７は、上述のように無製版ラインが付加された画像データに基づきサーマルヘッド２３を駆動させる。サーマルヘッド２３の駆動制御は、上述した標準モードと同様に行われる。この際、図８に示すように、無製版ラインに対しては、ストローブ信号がオンになっても、穿孔は行われない。すなわち、各ブロック２６においては、２ラインに１回しか製版は行われない。
【００７６】
また、図７に示したような配置で無製版ラインが付加されているため、各主走査ラインの穿孔時において、同一グループ２７内のいずれかのブロック２６では穿孔を行わない。このため、主走査ラインごとの消費電力が抑えられる。
【００７７】
電力抑制モードでは、制御部７は、移動機構部４により標準速度の１／２の速度で製版部３を移動させつつ、サーマルヘッド２３の駆動制御を行う。
【００７８】
電力抑制モードでは、各主走査ラインに対して無製版ラインが１ラインずつ付加されているため、製版部３の移動速度を標準速度の１／２の速度とすることで、標準モードと同様の製版画像が形成される。
【００７９】
以上説明したように、製版装置１では、制御部７は、少なくともいずれかの主走査ラインにおいて製版時の必要電力が電源２４の電源容量を超えるグループ２７がある場合、電力抑制モードによる製版動作を行う。具体的には、制御部７は、画像データの各主走査ラインに対して無製版ラインを１ライン分ずつ付加する。この際、制御部７は、各ブロック２６に対応する領域ごとに、同一グループ２７内の各ブロック２６に対応する領域間における元の画像データの主走査ラインの副走査方向における位置を相互にずらすように無製版ラインを配置する。そして、制御部７は、標準速度の１／２の速度で製版部３を移動させつつ、無製版ラインが付加された画像データに基づきサーマルヘッド２３を駆動させて製版を行う。
【００８０】
これにより、各主走査ラインの穿孔時において、同一グループ２７内のいずれかのブロック２６では穿孔を行わないため、全発熱素子３６を同時に駆動させるのに必要な電源容量を確保する必要がない。このため、電源２４の電源容量を低減できる。
【００８１】
この結果、電源２４の大型化およびそれに伴う製版装置１の大型化を回避できる。また、低コスト化を実現できる。また、本実施の形態による電源容量を低減は、画像データの加工と製版部３の移動速度の変更のみで実現可能であるので、サーマルヘッド２３の制御の複雑化を招くことなく実現できる。
【００８２】
なお、上述した実施の形態では、２つのブロック２６をそれぞれ含む４つのグループ２７ごとに時分割で発熱素子３６を駆動させる構成で説明した。しかし、グループ２７の数および各グループ２７に含まれるブロック２６の数はこれに限らず、それぞれ複数であればよい。
【００８３】
ここで、１つのグループ２７に含まれるブロック２６の数をＮ（Ｎは２以上の自然数）個とすると、電力抑制モードにおいて、各主走査ラインに対して（Ｎ−１）ライン分の無製版ラインが付加される。この際、無製版ラインは、各ブロック２６に対応する領域ごとに、同一グループ２７内の各ブロック２６に対応する領域間における元の画像データの主走査ラインの副走査方向における位置をそれぞれずらすように配置して付加される。そして、標準速度の１／Ｎの速度で製版部３を移動させつつサーマルヘッド２３を駆動させて製版が行われる。
【００８４】
また、上述した実施の形態では、製版部３を移動させつつマスタ１３に製版する構成で説明したが、マスタを搬送しつつ、サーマルヘッドによりマスタに製版する製版装置にも本発明は適用可能である。サーマルヘッドとマスタとを副走査方向に相対移動させつつ製版するものであればよい。
【００８５】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【００８６】
［付記］
本出願は、以下の発明を開示する。
【００８７】
（付記１）
主走査方向に沿って配置された複数の発熱素子を有するサーマルヘッドと、
前記サーマルヘッドに電力を供給する電源と、
前記サーマルヘッドとマスタとを副走査方向に相対移動させる移動機構部と、
前記移動機構部により前記サーマルヘッドとマスタとを副走査方向に相対移動させつつ、画像データに基づき、前記サーマルヘッドが主走査方向に分割されたブロックをそれぞれＮ（Ｎは２以上の自然数）個含む複数のグループごとに時分割で前記発熱素子を駆動させてマスタを製版するよう制御する制御部とを備え、
前記制御部は、
画像データの各主走査ラインの製版時におけるグループごとの必要電力を算出し、少なくともいずれかの主走査ラインにおいて製版時の必要電力が前記電源の電源容量を超える前記グループがある場合、
画像データの各主走査ラインに対して、穿孔を行う画素がない（Ｎ−１）ライン分の無製版ラインを、前記各ブロックに対応する領域ごとに、同一グループ内の前記各ブロックに対応する領域間における元の画像データの主走査ラインの副走査方向における位置をそれぞれずらすように配置して付加し、
製版時において、前記サーマルヘッドとマスタとの相対移動速度を、画像データに前記無製版ラインを付加せずに製版を行う場合の設定速度の１／Ｎとするよう前記移動機構部を制御することを特徴とする製版装置。
【符号の説明】
【００８８】
１  製版装置  
２  筐体
３  製版部
４  移動機構部
５  移動式位置決め部材
６Ａ，６Ｂ  ガイドシャフト
７  制御部
１３  マスタ
２３  サーマルヘッド
２６，２６Ａ〜２６Ｈ  ブロック
２７，２７Ａ〜２７Ｄ  グループ
３１  発熱抵抗体
３２  ドライバＩＣ
３６  発熱素子
４２  駆動回路
【図１】
2019055499.tif 000003
【図２】
2019055499.tif 000004
【図３】
2019055499.tif 000005
【図４】
2019055499.tif 000006
【図５】
2019055499.tif 000007
【図６】
2019055499.tif 000008
【図７】
2019055499.tif 000009
【図８】
2019055499.tif 000010